(57)【要約】      （修正有）【課題】収納されている食品のにおいが漏れたり、湿気が侵入したりするおそれがなく、開封しやすいサンドイッチ包材を提供する。【解決手段】六角形の対向する第一の辺から第一の矩形部２１が、第二の辺から第二の矩形部２２が突出する略線対称のプラスチック製の表シートと裏シート２を重ね合わせて接着して三方を封止して収納部を設け、サンドイッチを収納後に表シートと裏シートが折りたたまれて封緘されるサンドイッチ用包材であり、第二の辺が第一の辺より長く、封緘が裏シート側、左右の側面側、表シート側の順で折りたたまれて表シート側から裏シート側に向かってテープ２８が貼り付けられ、左右の側面側から折りたたまれた部分のうち一方から折りたたまれた部分の端部全域が他方から折りたたまれた部分により覆われており、裏シートの第一の矩形部に開封開始部が設けられている。【選択図】図２
0003206734.tif 000002
【実用新案登録請求の範囲】
【請求項１】
六角形の第一の辺から第一の矩形部が切れ目なく突出し、第一の辺の中央と第一の辺に対向する第二の辺の中央を通る直線を対称軸として略線対称のプラスチック製の表シートと裏シートを重ね合わせ、第一の辺に隣接する二辺周縁と第一の矩形部の少なくとも第一の辺に接続する部分で両シートを接着して三方封止した収納部とし、第二の辺側を展開して開口部とし、収納部に側面が直角三角形状で一定の厚みを持つサンドイッチを収納後に収納された食品の形状に沿って表シートと裏シートが折りたたまれて封緘されるサンドイッチ用包材であって、第二の辺が第一の辺より長く、第二の辺から略矩形の第二の矩形部が切れ目なく突出し、封緘が裏シート側、左右の側面側、表シート側の順で折りたたまれて表シート側から裏シート側に向かってテープが貼り付けられてなされ、左右の側面側から折りたたまれた部分のうち一方から折りたたまれた部分の端部全域が他方から折りたたまれた部分により覆われており、裏シートの第一の矩形部には２つの開封開始点と開封開始点を結ぶ略コの字状の切込みを有する摘み部からなる開封開始部が設けられていることを特徴とするサンドイッチ用包材。
【請求項２】
裏シートに、少なくとも前記開封開始部から仮想折線まで、連続してティアテープが設けられていることを特徴とする請求項１に記載のサンドイッチ用包材。
【請求項３】
前記摘み部の幅が、前記開封開始点の間隔よりも広いことを特徴とする請求項１または請求項２に記載のサンドイッチ用包材。
【考案の詳細な説明】
【技術分野】
【０００１】
本考案は、サンドイッチ、カステラ、菓子パンなど側面が直角三角形状をした食品の包装に用いられる包材に関する。
【背景技術】
【０００２】
サンドイッチは側面が直角三角形状のものが主流で、食品の性格上、どこでも手軽に食することができることが求められることから、その包材にも開封やサンドイッチの取出しが容易に行えるようにしたものなど、様々の形状のものが提案され、利用に供されている。またサンドイッチ以外にも側面が直角三角形状で、一定の厚みを持った食品、例えばサンドイッチ、カステラ、蒸しパンなどが、その形状に対応した包材に包装されて種々販売されている。なお以下本明細書では、サンドイッチを含め側面が直角三角形状で、一定の厚みを持った食品を総称してサンドイッチということとする。
【０００３】
一般的な形状としては、不等辺の六角形をした表裏用２枚のプラスチックシートの一辺とその両脇の二辺の周縁で表裏のシートを接着して三方を封止した袋状とし、開口された側を展開して、側面が直角三角形状で一定の厚みを持ったサンドイッチ数組を重ね、隅が直角になった部分が開口された側になるよう収納し、開口された側の表裏のシートをサンドイッチの外形に沿って折りたたんで封緘するものである。封緘した面は通常店頭などで陳列される際は底面とされる。なおサンドイッチが支障なく収納されると共に収納した際に無駄な隙間やたるみができないように、また取り扱いの利便性を考慮して把持するための矩形部を突出させるなど、表裏のフィルムの形状やサイズを工夫したものが各種提案されている。
【０００４】
例えば特許文献１に記載の包装袋では、２枚のフィルムを重ね合わせて両側縁部をシールし、一端を両側縁部にわたって封止して収納部とし、開口した他端からサンドイッチを収納するようにした包装袋であって、サンドイッチを収納後に折りたたんで閉じる両側縁部に連続する部位に連続した円弧状の切り欠きを設け、かつ他端に摘み部を突出させて開封基点とした包装袋が開示されている。円弧状の切り欠きにより折りたたんだときのフィルムの重なりが少なく、摘み部を引っ張って開封するときに円滑に開封できるという効果を奏するとしている。
【０００５】
また特許文献２に記載のサンドイッチ包装用袋では、袋を構成する表裏のシートが、開口部にあたる側の幅を広くして面積を広くした意匠が開示されている。フィルムを折りたたんで封緘する際に、隙間を生じることなく封緘できることが想定される。
【先行技術文献】
【特許文献】
【０００６】
【特許文献１】特許第５２３０８３２号公報
【特許文献２】意匠登録第１２６０９５６号公報
【考案の概要】
【考案が解決しようとする課題】
【０００７】
しかしながら特許文献１に開示される包装袋では、図６に示すように開口部を表裏のフィルムを順次折りたたんで封緘する際に、最後に左右の側面側から折りたたみ、側面側の端部に現れることになるフィルムの円弧状の切り欠きの部分が一部重なるように折りたたんだ上から横方向にヒートシールまたはテープを貼る形で封緘することになり、切り欠きの部分で開口部６０が左右両側面側とも露出した状態となっているため、そこから収納されている食品のにおいが漏れたり、湿気が侵入したりするおそれがある。また封緘する際にテープ貼りした場合、開封のために摘み部を引っ張ったときに封緘のためのテープ６１が開封する方向に直交して貼られることになるため、引っかかって開封しにくいという課題があった。
【０００８】
また特許文献２に開示されているサンドイッチ用包装袋では、サンドイッチを収納後、開口している側の表裏のフィルムを折りたたんで封緘する際、その部分の面積が大きすぎるため、図７に示すように折りたたんだ部分がはみ出し７０となってはみ出してしまい、かさばってしまうほか、取り扱うときに引っかかったりする可能性があり、また折りたたまれた部分が深く重なりすぎているために開封のために設けられているティアテープなどの切裂きがここで止められてしまい開封しにくいという課題があった。
【課題を解決するための手段】
【０００９】
上記のような課題を解決するための手段として請求項１に記載の考案は、
六角形の第一の辺から第一の矩形部が切れ目なく突出し、第一の辺の中央と第一の辺に対向する第二の辺の中央を通る直線を対称軸として略線対称のプラスチック製の表シートと裏シートを重ね合わせ、第一の辺に隣接する二辺周縁と第一の矩形部の少なくとも第一の辺に接続する部分で両シートを接着して三方封止した収納部とし、第二の辺側を展開して開口部とし、収納部に側面が直角三角形状で一定の厚みを持つサンドイッチを収納後に収納された食品の形状に沿って表シートと裏シートが折りたたまれて封緘されるサンドイッチ用包材であって、第二の辺が第一の辺より長く、第二の辺から略矩形の第二の矩形部が切れ目なく突出し、封緘が裏シート側、左右の側面側、表シート側の順で折りたたまれて表シート側から裏シート側に向かってテープが貼り付けられてなされ、左右の側面側から折りたたまれた部分のうち一方から折りたたまれた部分の端部全域が他方から折りたたまれた部分により覆われており、裏シートの第一の矩形部には２つの開封開始点と開封開始点を結ぶ略コの字状の切込みを有する摘み部からなる開封開始部が設けられていることを特徴とするサンドイッチ用包材を提供する。
【００１０】
また請求項２に記載の考案は、
裏シートに、少なくとも前記開封開始部から仮想折線まで、連続してティアテープが設けられていることを特徴とする請求項１に記載のサンドイッチ用包材を提供する。
【００１１】
また請求項３に記載の考案は、
前記摘み部の幅が、前記開封開始点の間隔よりも広いことを特徴とする請求項１または請求項２に記載のサンドイッチ用包材を提供する。
【考案の効果】
【００１２】
本考案のサンドイッチ用包材によれば、サンドイッチを収納後に封緘する際、第二の辺に第一の矩形部よりも幅広の略矩形の第二の矩形部が設けられ、封緘時に左右の側面側から折りたたまれる部分のうち一方から折りたたまれた部分の端部全域が他方から折りたたまれた部分により覆われているため、開口されたままとなっている部分が少なく、サンドイッチの臭気が漏れたり、湿気が侵入したりするおそれが少なくなるという効果を奏する。
【００１３】
また、封緘用のテープが表シート側から裏シート側に向かって貼り付けられて封緘されているため、開封開始部から裏シートを切り裂いて開封する際に、切裂きが封緘部位に達したときにテープを裏シート側から表シート側に向かって容易に剥がすことができ、切裂きが支障なく進むという効果を呈する。
【００１４】
また、裏シートに少なくとも前記開封開始部から仮想折線まで連続してティアテープが
設けられていることにより、切裂きによる開封を安定して容易に行うことができるという効果を呈する。
【００１５】
また、開封開始部の摘み部の幅が、開封開始点の間隔よりも広くなっていることにより、摘み部が持ちやすく、開封しやすくなるという効果を呈する。
【図面の簡単な説明】
【００１６】
【図１】本考案のサンドイッチ用包材の表シートの一実施形態を示す模式図。
【図２】本考案のサンドイッチ用包材の裏シートの一実施形態を示す模式図。
【図３】本考案のサンドイッチ用包材にサンドイッチを収納した状態での側面を示す模式図。
【図４】本考案のサンドイッチ用包材にサンドイッチを収納し、封緘する途中の状態を示す模式図。
【図５】本考案のサンドイッチ用包材にサンドイッチを収納し封緘した状態を示す模式図。
【図６】従来の包装袋を封緘した状態を説明する参考図。
【図７】従来のサンドイッチ包装用袋を封緘した状態を説明する参考図。
【考案を実施するための形態】
【００１７】
以下、本考案の実施の形態を、図面を参照しながら詳細に説明する。なお本考案は以下に示す実施形態に限定されるものではない。
【００１８】
本考案のサンドイッチ用包材は、プラスチック製の表シートと裏シートを重ねて貼りあわせて構成される。図１はその一実施形態として表シート１を平面状に示した状態の図である。左右対称の六角形部１０の上部の一辺から第一の矩形部１１が突出している。この部分は封緘後に全体の把持部ともなる部分である。第一の矩形部１１と対向する辺からは第二の矩形部１２が突出している。第二の矩形部１２は、幅が第一の矩形部１１よりも広くなっており、また六角形部１０と第二の矩形部１２を合わせた長さＡは、収納される側面が直角三角形状のサンドイッチの斜辺を挟む二辺の長さを足し合わせた長さと略同一である。これにより封緘時に各シートを折りたたんだ際に隙間なく、また余分なはみ出しなく良好に内容物の食材を覆うことができる。なお図１で第一の矩形部１１、第二の矩形部１２と六角形部１０の間に描かれた破線は説明のためのもので、実際には六角形部１０とは切れ目なく連続している。
【００１９】
また図１には仮想の線として、サンドイッチが収納される幅方向の位置の目安を示す収納線１４と、サンドイッチが収納されたときの開口部側の終端で、シートを折りたたむ位置の目安を示す仮想折線１５が描かれている。図１に示すように第一の矩形部１１が六角形部１０と接続する部分１６の長さは、実際に収納されるサンドイッチの厚みに対して若干余裕を持たせてあり、具体的には５ｍｍから１０ｍｍ広くなっている。同じサイズでは収納しにくく、またサンドイッチがつぶれてしまうおそれがあり、また広すぎると隙間が空きサンドイッチが分かれて挟んだ具材が漏れてしまい不都合であるためである。
【００２０】
２本の収納線１４と仮想折線１５に囲まれた長方形の部分は側面が直角三角形状のサンドイッチを収納したとき、斜辺側の面を覆う部分であり、収納線１４から外側の側辺部１３までの部分は、サンドイッチの直角三角形の側面を覆う部分となる。これらはいずれも仮想の線であって、実際にシートに線が描かれているわけではない。
【００２１】
表シート１はその側辺部１３、六角形部１０と第一の矩形部１１が接続する部分１６の三方で図２に示す裏シート２の対応する部位と接着されて内部に収納部１８を形成し、さ
らにこの実施形態では第一の矩形部の側辺部１７で接着されている。図２に示す裏シート２は、全体の形状は表シート１と同様であるが、封緘されたサンドイッチを取り出すときに包材の開封を容易にするため、第一の矩形部２１に２つの開封開始点２６とそれに連続する略コの字状の切り込みからなる摘み部２７が開封開始部として設けられている。また摘み部２７に連絡して直線的な切裂きを誘導することができるティアテープ２８が設けられている。このため、開封の際には摘み部２７からティアテープ２８に沿って直線状に裏シート２を切り裂いて開封することができ、内容物を容易に取り出すことができる。ティアテープ２８は市販のものから適宜選択して用いることができる。
【００２２】
開封開始点２６の間隔は１．５ｃｍ〜２．５ｃｍとすると、開封後サンドイッチを取り出すのに好適であり、２．０ｃｍ〜２．５ｃｍとするとさらに好適である。摘み部２７は手で摘むのに適した大きさであれば良いが、開封開始点２６の間隔よりもやや大きく、２.０ｃｍ〜３.０ｃｍとすると好適である。
【００２３】
図２にも図１と同様の意味合いの仮想の線として収納線２４と仮想折線２５が描かれている。収納線２４と仮想折線２５に囲まれた長方形の部分は、封緘後、サンドイッチの背面となる面を覆う部分となる。収納線２４から側辺部２３までの部分はサンドイッチの直角三角形の側面を覆う部分となる。これらはいずれも仮想の線であって、実際にシートに線が描かれているわけではない。
【００２４】
ティアテープ２８は摘み部２７から仮想折線２５を越えた部位まで設けられている。ティアテープ２８は、少なくとも仮想折線２５まで設けられていれば、背面側の裏シート２を全部安定して切り裂くことができ、さらにティアテープのない部分まで切裂きを進めることもできるが、図２に示すように仮想折線２５を越えて設けられていても良く、裏シート２の端部に達するまで延長されていても良い。
【００２５】
図３は、本考案のサンドイッチ用包材に側面が直角三角形のサンドイッチ３０を収納した状態を側面側から見たときの模式図である。破線３３は表シート１と裏シート２の側辺部周縁が接着されている部位であり、収納部１８にサンドイッチ３０が表シート１側に斜辺がくるように収納されている。サンドイッチ３０の開口部側の終端にあたる部位が仮想折線１５、２５となり、この位置を目安に表シート１、裏シート２が合わせて左右からそれぞれ折りたたまれる。図３では右側になる開口部側は、封緘後は底面とされ、収納部１８の左側に突出する第一矩形部１１、２１が重なった部分は、把持部３１となり、封緘後は天側となる。
【００２６】
図４は、本考案のサンドイッチ用包材にサンドイッチ３０を収納し、図の下側から上に向かって裏シート２を折りたたむ下折りたたみ部４１を折りたたみ、次いでの表シート１と裏シート２からなる右折りたたみ部４２をサンドイッチ３０の右側面側から左に向かって折りたたみ、次いでサンドイッチ３０の左側面側の表シート１と裏シート２からなる左折りたたみ部４３を右に向かって折りたたんだ状態を、開口部側から見た模式図である。このように左右の側面側から折りたたまれた部分が、一方から折りたたまれた部分の端部全域が他方から折りたたまれた部分により覆われているため、端部からサンドイッチの臭気が漏れるおそれが少なく、また端部から湿気が侵入する恐れも少なくできる。また六角形部１０の第二の矩形部１２が突出する辺の両脇の辺の部分で、特許文献２に開示されている形状に比べ大きく切り欠かれた形状となっているため、図７に示した形状と異なり、折りたたんだ部分が重なり過ぎることがない。
【００２７】
図５は、図４の状態からさらに、表シート１を図の上側から下へ折りたたむ上折りたたみ部４４を折りたたんで、テープ５０を貼って封緘した状態を示す模式図である。また、テープ貼りした部分には裏シート２側からティアテープ２８が伸びており、ティアテープ
２８により開封が進む方向と、テープ５０を貼った方向が同じであるため、ティアテープ２８による開封がテープ５０の部位まで進んできた場合、そのままテープ５０を剥がしながらスムーズに開封を進めることができる。
【００２８】
本考案のサンドイッチ用包材の表シート１裏シート２に使用される樹脂は特に限定されないが、ナイロン樹脂、ポリエチレンテレフタレート樹脂、ポリスチレン樹脂、ポリオレフィン樹脂などが例として挙げられ、なかでもポリエチレン樹脂、延伸ポリエチレン樹脂、ポリプロピレン樹脂、延伸ポリプロピレン樹脂などのポリオレフィン樹脂が好適である。
【符号の説明】
【００２９】
１・・・・・・表シート
２・・・・・・裏シート
１０、２０・・六角形部
１１、２１・・第一の矩形部
１２、２２・・第二の矩形部
１３、２３・・側辺部
１４、２４・・収納線
１５、２５・・仮想折線
１６・・・・・接続部
２６・・・・・開封開始点
２７・・・・・摘み部
２８・・・・・ティアテープ
３０・・・・・サンドイッチ
４１・・・・・下折りたたみ部
４２・・・・・右折りたたみ部
４３・・・・・左折りたたみ部
４４・・・・・上折りたたみ部
５０・・・・・テープ
【図１】
0003206734.tif 000003
【図２】
0003206734.tif 000004
【図３】
0003206734.tif 000005
【図４】
0003206734.tif 000006
【図５】
0003206734.tif 000007
【図６】
0003206734.tif 000008
【図７】
0003206734.tif 000009